(57)【要約】  以下を含むスケートボード。中心ロッドユニットと、垂直軸上で回転可能に、その中心ロッドユニットの端部に取り付けられた第１フットプレートと、第１フットプレートから独立して回転可能に取り付けられた複数の第１キャスターと、別の垂直軸上で回転可能に前記中心ロッドユニットの他端に取り付けられた第２フットプレートと、第２フットプレートから独立して回転可能に取り付けられた複数の第２キャスター。ユーザーは、両脚をフットプレート上に置いて前方に歩行することによっても、両脚を前後方向交互に交替させることによっても、前後方向に移動することが可能である。また、第１及び第２キャスター独立して回転することも可能であるので、定位置での３６０度回転を行うことも可能である。
2008539937.tif 000002
【特許請求の範囲】
【請求項１】
以下を含むスケートボード。中心ロッドユニットと、垂直軸上で回転可能に、その中心ロッドユニットの端部に取り付けられた第１フットプレートと、第１フットプレート上で独立して回転可能に取り付けられた複数の第１キャスターと、別の垂直軸上で回転可能に前記中心ロッドユニットの他端に取り付けられた第２フットプレートと、第２フットプレート上で独立して回転可能に取り付けられた複数の第２キャスター。
【請求項２】
前記中心ロッドユニットが縦方向に拡縮することのできる二重構造で形成されていることを特徴とする請求項１のスケートボード。
【請求項３】
前記中心ロッドユニットが以下を含むことを特徴とする請求項２のスケートボード。中心空洞シリンダーと、前記中心空洞シリンダーの両端に含まれ、かつ前記中心空洞シリンダーに対して縦方向に摺動する２つの滑動ロッドと、前記滑動ロッドと一体となって弾性を提供するばね。
【請求項４】
第１及び第２フットプレートが前記中心ロッドユニットの縦軸を中心に一定の角度範囲でツイストし、そのツイスト動作に対して元の位置に戻るための復元力を持つことを特徴とする請求項１のスケートボード。
【請求項５】
以下を特徴とする請求項４のスケートボード。回転継手が前記中心ロッドユニットの両端に取り付けられており、前記回転継手はそのツイスト動作に対する復元力を持つことと、第１及び第２フットプレートが、それぞれ前記垂直軸上で回転可能に前記回転継手のそれぞれに取り付けられること。
【請求項６】
前記複数個の第１キャスターと第２キャスターが以下を含むことを特徴とする請求項１のスケートボード。回転可能に第１及び第２フットプレートの底面に取り付けられるフットプレート取付具と、前記フットプレート取付具の底部に連結され、かつ、所定の領域で湾曲する弾性連結部分と、前記弾性連結部分の底部に連結されたホイール連結部分と、回転可能に前記ホイール連結部分に取り付けられたキャスターホイールであって、前記キャスターホイールが前記フットプレート取付具の旋回軸に対して偏向された位置で回転することを特徴とするキャスターホイール。
【請求項７】
前記ホイール連結部分が回転可能に前記弾性連結部分の底面に取り付けられることを特徴とする請求項６のスケートボード。
【請求項８】
前記複数個の第１キャスターと前記複数個の第２キャスターが以下を含むことを特徴とする請求項１のスケートボード。回転可能に第１及び第２フットプレートの底面に取り付けられるフットプレート取付具と、回転可能に前記フットプレート取付具の底部に連結された連結部分と、前記連結部分の底部に連結されたホイール連結部分と、回転可能に前記ホイール連結部分に取り付けられたキャスターホイールであって、前記キャスターホイールが前記フットプレート取付具の旋回軸に対して偏向された位置で回転することを特徴とするキャスターホイール。
【請求項９】
前記ホイール連結部分が回転可能に前記連結部分の底面に取り付けられることを特徴とする請求項８のスケートボード。
【請求項１０】
前記複数個の第１キャスターと前記複数個の第２キャスターが以下を含むことを特徴とする請求項１のスケートボード。回転可能に第１及び第２フットプレートの底面に取り付けられるフットプレート取付具と、前記フットプレート取付具の底部に連結されたホイール連結部分と、前記ホイール連結部分に回転可能に取り付けられたキャスターホイールと、前記キャスターホイールに隣接して設けられ、前記フットプレートの傾斜に応じて駆動に対する抵抗を発生するホイールブレーキ。
【請求項１１】
中心フットプレートが前記中心ロッドユニットの上面に取り付けられることを特徴とする請求項１のスケートボード。
【請求項１２】
以下を含むスケートボード。中心ロッドユニットと、前記中心ロッドユニットの両端に回転可能に取り付けられた２つのフットプレートと、前記フットプレートの底部にそれぞれ配置され、前記フットプレートの底面を支持するサスペンションを含む弾性支持体と、独立して回転可能に前記弾性支持体にそれぞれ取り付けられた複数の方向キャスター。
【請求項１３】
以下を特徴とする請求項１２のスケートボード。回転継手が前記中心ロッドユニットの両端のうちの少なくとも１つに取り付けられ、かつ前記回転継手が前記回転継手と前記中心ロッドユニット間のツイストに対して復元力を持つことと、前記回転継手に取り付けられた前記フットプレートが垂直軸と横軸上で回転することと、前記フットプレートが前記中心ロッドユニットに対して上下または左右に旋回すること。
【請求項１４】
前記回転継手が、前記中心ロッドユニットの縦軸に対して２５度未満の境界角領域で両方向にツイストし、前記横軸上で２０度未満の境界角領域において両方向に対して上下に旋回し、さらに、前記垂直軸上で９０度未満の境界角領域において両方向に対して左右に旋回することを特徴とする請求項１３のスケートボード。
【請求項１５】
前記中心ロッドユニットが縦方向に拡縮することのできる二重管構造を持ち、コントロールされた長さを固定するための取付具を含むことを特徴とする請求項１２のスケートボード。
【請求項１６】
前記中心ロッドユニットが、縦方向に拡縮することのできる二重管構造を持ち、その中に、前記中心ロッドユニットの拡縮に対して復元力を提供するための圧縮ばねまたは引張ばねが取り付けられることを特徴とする請求項１２のスケートボード。
【請求項１７】
ホイールブレーキが前記方向キャスターに取り付けられ、ホイールに隣接して設けられ、前記フットプレートの傾斜に応じて駆動に対する抵抗を発生することを特徴とする請求項１２のスケートボード。
【請求項１８】
前記ホイールブレーキが前記ホイールの上部に連結されて一定の角度で旋回することを特徴とする請求項１７のスケートボード。
【請求項１９】
以下を含むスケートボード。縦方向に弾性的に拡縮できる二重管構造で形成された中心ロッドユニットと、垂直軸と横軸上で旋回するように前記中心ロッドユニットの両端に取り付けられ、前記中心ロッドユニットの縦軸上で一定の境界角領域においてツイストし、さらに、前記横軸と垂直軸上での旋回及びツイスト動作に対して元の位置に戻るための復元力を持つ２つのフットプレートと、前記フットプレートのそれぞれの底面に回転可能に取り付けられた少なくとも１つのフットプレート取付具と、前記フットプレート取付具の底部に連結され、所定の領域で湾曲する弾性連結部分と、前記弾性連結部分の底部に回転可能に取り付けられたホイール連結部分と、前記ホイール連結部分に回転可能に取り付けられたキャスターホイールと、前記フットプレート取付具の旋回軸に対して偏向された位置で回転する前記キャスターホイールと、を含むキャスター。
【請求項２０】
前記中心ロッドユニットが以下を含むことを特徴とする請求項１９のスケートボード。中心空洞シリンダーと、前記中心空洞シリンダーの両端に含まれ、かつ前記中心空洞シリンダーに対して縦方向に摺動する２つの滑動ロッドと、前記滑動ロッドと一体となって弾性を提供するばね。
【請求項２１】
前記方向キャスターに取り付けられ、ホイールに隣接して設けられ、前記フットプレートの傾斜に応じて駆動に対する抵抗を発生するホイールブレーキをさらに含む請求項１９のスケートボード。
【請求項２２】
中心フットプレートが前記中心ロッドユニットの上面に取り付けられることを特徴とする請求項１９のスケートボード。
【請求項２３】
以下を含むスケートボード。縦方向に弾性的に拡縮できる二重管構造で形成された中心ロッドユニットと、垂直軸と横軸上で旋回するように前記中心ロッドユニットの両端に取り付けられ、前記中心ロッドユニットの縦軸上で一定の境界角領域においてツイストし、さらに、前記横軸と垂直軸上での旋回及びツイスト動作に対して元の位置に戻るため、復元力を持つ２つのフットプレートと、前記フットプレートのそれぞれの底面に回転可能に取り付けられた少なくとも１つのフットプレート取付具と、前記フットプレート取付具の底部に連結された傾斜連結部分と、その底面が傾斜した前記傾斜連結部分と、前記傾斜連結部分の底部に回転可能に取り付けられたホイール連結部分と、前記ホイール連結部分に回転可能に取り付けられたキャスターホイールと、を含む複数のキャスター。
【発明の詳細な説明】
【技術分野】
【０００１】
本発明は、スケートボードに関するものであって、特に、左右方向移動に加えて前後方向移動すること、ならびに定位置で回転することもできる移動自在な全方向走行スケートボードに関するものである。
【背景技術】
【０００２】
通常、スケートボードには、フットプレートと前記フットプレートに取り付けられたホイールが含まれ、ペアを形成する２個のホイールが前記フットプレートの前方部分と後方部分にそれぞれ締着されている。前後に取り付けられたホイールペアは、互いに平行に配置され、旋回能力なしに締着されいるので、スケートボードのライディング中にその方向を変えるには、重心をコントロールすることによって行うことが可能であるが、旋回半径は非常に大きくなり、その旋回のために幅広いスペースが必要となる。
【０００３】
また、一般的なスケートボードの場合、それ自体で駆動力を発生させることが困難であるので、平らな表面上をライディング中には、ユーザーは地面をキックする必要がある。
【０００４】
前記に記載の欠点を解決するため、スネークボードのような改良型スケートボードが開示されている。前記スネークボードや前記スネークボードに類似するボードを検討すると、ユーザーは、分離されたフットプレートに乗り、両足を交互に移動させることによって駆動力を得ている。しかしながら、前記スネークボードや類似ボードは、体の左右方向に前進するのみならず、旋回のために相当大きな半径が必要なため、狭いスペースでは容易に回転することができない。また、前記スネークボードを下り坂で自然に停止させることも困難であり、前記スネークボードの長さをユーザーの背丈に合わせて調整することも不可能である。
【０００５】
すなわち、前記スネークボードのような改良型スケートボードは、個々の足に交互にもたれて圧力をかけることで単独で駆動力を得ることが可能であるが、各フットプレートごとに１個のホイールしか使用されていないので、自然なスタンスで前記スネークボードの上に立つことが困難であり、急激な加速を必要とする際に地面をキック中または走行中には前記スネークボードに乗ることは不可能であり、さらに、傾斜面では、それ自体で停止することも困難である。固定軸によって連結された一体のロングボディーに起因して、駆動中に３６０度回転またはＵターンを行う際の旋回半径が大きい。前記スネークボードに乗る際、ユーザーは特定の姿勢と足のスタンスを保つ必要があるので、身体動作が制約されて自由でない。とりわけ、進行方向を変えることができないので、対応できる活動に多くの制限がある。
【発明の開示】
【発明が解決しようとする課題】
【０００６】
本発明の態様は、ユーザーの左右に加えて前後方向にも移動できるスケートボードを提供するものである。
【０００７】
また、本発明の態様は、状況に応じて姿勢とフットプレートの位置をさまざまに変えることのできるスケートボードも提供するものである。
【０００８】
また、本発明の態様は、ユーザーの身体に合わせてフットプレート間の間隔を容易にコントロールでき、かつフットプレート間の間隔を自動的に拡縮できるスケートボードも提供するものである。
【０００９】
また、本発明の態様は、安定に停止でき、斜面上または危険な状態で駆動中に速度を容易にコントロールできるスケートボードをも提供するものである。
【課題を解決するための手段】
【００１０】
本発明の態様によれば、以下を含むスケートボードが提供される。中心ロッドユニットと、垂直軸上で回転可能に、その中心ロッドユニットの端部に取り付けられた第１フットプレートと、第１フットプレートから独立して回転可能に取り付けられた複数の第１キャスターと、別の垂直軸上で回転可能に前記中心ロッドユニットの他端に取り付けられた第２フットプレートと、第２フットプレートから独立して回転可能に取り付けられた複数の第２キャスター。第１及び第２フットプレートが前記垂直軸上で前記中心ロッドユニットの両端に取り付けられるので、左右に回転することが容易であり、ユーザーは、休息時または駆動時に足のスタンスを所望の位置に保つことも可能である。例えば、ユーザーは、その間に前記中心ロッドユニットを挟入して前記フットプレートをＨ形に配置させ、左右または前後方向に移動することも可能である。また、ユーザーは、前記フットプレートを前記中心ロッドユニットの両側に密着させることも可能であるので、進行方向が足の方向と同一になるようにすることもできる。さらに、ユーザーは、両足をＴ字型に配置することや、互いに平行になるように配置することも可能であり、さらに、両足をＶ字型に配置することも可能である。この場合では、前記フットプレート下のキャスターは３６０度自由に回転するか、または一定の領域で自由に回転するので、ユーザーは駆動状態を容易に保つことも可能であり、ユーザーの姿勢が進行方向と同じである必要もない。
【００１１】
また、前記フットプレートは前記中心ロッドユニットに対して左右に回転することも可能であり、加えて、前記フットプレートを前記中心ロッドユニットの横軸ないしは縦軸上で回転またはツイストするように設計することもできる。すなわち、前記フットプレートは、前記中心ロッドユニットの両端で垂直軸や前記縦軸に対して垂直な横軸上で上下に回転することも可能である。また、前記フットプレートは、前記中心ロッドユニットの縦軸上でツイストすることも可能である。また、前記フットプレートは、前記横軸と前記縦軸上で回転することも可能であり、回転やツイストに対して元の位置に戻るための復元力を持つことも可能であるので、ユーザーが前記スケートボードを安定に使用できるようになっている。
【００１２】
本発明の別の態様によれば、以下を含むスケートボードが提供される。中心ロッドユニットと、前記中心ロッドユニットの両端に回転可能に取り付けられた２つのフットプレートと、前記フットプレートの底部にそれぞれ配置され、前記フットプレートの底面を支持するサスペンションを含む弾性支持体と、独立して回転可能に前記弾性支持体にそれぞれ取り付けられた複数の方向キャスター。
【００１３】
前記弾性支持体は、前記フットプレートと前記方向キャスターとの間に取り付けられる。前記フットプレートは通常、前記方向キャスターの上面に対して平行に保たれるが、駆動中に前記弾性支持体によって、前記フットプレートと前記方向キャスターの上面との間に局部的な湾曲部を形成することも可能である。よって、ユーザーは、そのバランスを容易に保って、安全に重心を保つことも可能であり、容易に方向を変えることも可能であり、さらに、地面から伝わる衝撃を効果的に排除することもできる。前記方向キャスターは、ベアリングによってキャスターホイールが旋回軸に対して偏向されている位置で回転する。よって、前記方向キャスターのキャスターホイールは進行方向とは逆方向に偏向された位置で回転し、その位置を前記スケートボードの方向に応じて変えることも可能である。
【００１４】
また、前記方向キャスターが前記弾性支持体下に配置されるので、前記キャスターホイールはその進行方向とは逆方向に偏向され、前記弾性支持体のサスペンションは前記キャスターホイールに対して傾斜される。前記弾性支持体が前記キャスターホイールに対して偏向されているので、１つのフットプレートの方向キャスターが実質上一方向になる傾向があり、ユーザーは両足を交互に交替させることによって所望の駆動力を得ることも可能である。
【００１５】
本発明のさらに別の態様によれば、以下を含むスケートボードが提供される。縦方向に弾性的に拡縮できる二重管構造で形成された中心ロッドユニットと、前記中心ロッドユニットの両端に取り付けられた２つのフットプレートと、前記それぞれのフットプレートに取り付けられ、弾性的に湾曲する複数のキャスター。詳細には、前記２つのフットプレートは、それぞれ垂直軸と横軸上で回転するように前記中心ロッドユニットの両側に取り付けることも可能であり、前記中心ロッドユニットの縦軸上で一定境界角領域においてツイストすることも可能である。この場合、前記フットプレートは、前記横軸と垂直軸上で旋回するとともに、前記縦軸上でツイストしながらばねの復元力を受けることによって、元の位置に戻るための復元力を持つ。
【００１６】
また、少なくとも１個のキャスターが前記それぞれのフットプレートに取り付けられる。例えば、２個の以上キャスターを前記両フットプレートに取り付けることも可能である。この場合、１個のキャスターを１つのフットプレートに取り付けることも可能であり、２個のキャスターを他のフットプレートに取り付けることも可能である。前記それぞれのキャスターには、前記フットプレートの底面のそれぞれに回転可能に取り付けられた少なくとも１つのフットプレート取付具と、前記フットプレート取付具の底部に連結され、かつ、所定の領域で湾曲する弾性連結部分と、前記弾性連結部分の底部に回転可能に取り付けられたホイール連結部分と、前記ホイール連結部分に回転可能に取り付けられたキャスターホイールが含まれる。前記フットプレート取付具の旋回軸に対して偏向された位置で回転する方向キャスターは、前記キャスターホイールとして使用することも可能である。
【００１７】
前記それぞれのキャスターの弾性連結部分は、進行方向とは逆方向に湾曲することもできる。同一フットプレートにおける前記キャスターは実質的に同一方向に向く傾向がある。よって、ユーザーは、各足を交互に交替させることによって所望の駆動力を得ることも可能であり、さらに、身体の前後方向ならびに左右に進むことも可能である。よって、ユーザーは、歩行時のように運動することによって前進することも可能である。
【００１８】
前記複数個のキャスターは、それぞれ異なる方向に旋回ことも可能である。前記複数個のキャスターは、同芯円構造上に配置され、定位置で３６０度回転することも可能である。また、前記フットプレートは、前記横軸上で、それぞれ上下に２０度、合計で４０度回転することも可能であり、前記縦軸上では、それぞれ両方向で２５度、合計で５０度ツイストすることも可能である。また、前記フットプレートは、前記垂直軸上で左右方向に９０度、合計で１８０度の回転に限定されているので、ユーザーの利便性を向上させることもできる。
【００１９】
ユーザーは、前記説明のスケートボードを用いることによって、ボードをＩ-Ｉ形状にすることも可能である。また、前記スケートボードは、前記中心ロッドユニットを伸縮することによってユーザーの背丈に合うように調整することも可能である。前記スケートボードは、１つまたは２つのＩ字型フットプレートを右または左に回転することによって、さまざまに変換することも可能である。また、前記スケートボードは、前記フットプレートを前後方向に移動または押動することによって駆動することも可能である。下り坂または高速での駆動時でも、ユーザーは、スノーボードライディングにおけると同様に身体を傾斜させ、かつエッジに乗ることによって方向を変えることができ、ブレーキを押すことによって減速することができる。
【発明の効果】
【００２０】
本発明の例示的実施形態に係るスケートボードは、十分な駆動力発生することによって前後方向ならびにユーザーの左右に移動することも可能であり、旋回半径を小さくするための独立して回転する３個または４個のキャスターを持つ。
【００２１】
また、フットプレートが、駆動中にキャスターの方向と異なる方向に向かって移動することも可能であるので、前記フットプレートの方向を容易に変えることも可能である。例えば、Ｈ字型、ＩＩ字型、Ｔ字型、及びＶ字型などのさまざまなポジションでスケートボーディングを楽しむことが可能である。また、ユーザーの利便性を、快適なスケートボーディング姿勢を保つことによって向上させることも可能である。
【００２２】
また、フットプレート間の間隔を、ユーザーの身体に合わせて容易に調整することも可能である。具体的には、前記フットプレート間の間隔は、歩行時のような前方移動動作において小さくすることも可能であり、それによって自然に前方移動できる。
【００２３】
また、下り坂または危険な状態での走行時でも、本スケートボードは安全に停止することが可能であり、本スケートボードの速度を容易にコントロールことも可能であり、容易に旋回できることから、危険を回避するが容易である。
【発明を実施するための最良の形態】
【００２４】
以下に、本発明の例示的実施形態を添付図面を参照して詳細に説明するが、本発明は、本実施形態によって限定または規定されるものではない。
【実施形態１】
【００２５】
図１は、本発明の第１実施形態に係るスケートボードを説明する底面斜視図であり、図２は、図１のスケートボードを説明する側面図であり、図３は、図１のスケートボードを説明する正面図である。
【００２６】
図１〜図３を参照すると、スケートボード１００には、中心ロッドユニット１１０と、フットプレート１２０と、弾性支持体１４０と、前記中心ロッドユニット１１０の両端に取り付けられるキャスター１５０と、が含まれる。２つのフットプレート１２０は、前記中心ロッドユニット１１０の両端に左右に回転可能に取り付けられる。サスペンション１４２を含む前記弾性支持体１４０は、前記フットプレート１２０下に設けられる。前記２個のサスペンション１４２は前記弾性支持体１４０の両側で前記フットプレート１２０を支持するので、ユーザーの左右の運動を前記フットプレート１２０を介して前記キャスター１５０に伝えることも可能である。また、前記キャスター１５０は一定方向に偏向されるように締着され、前記弾性支持体１４０下で、３６０度または３６０度未満の限られた領域で回転することも可能である。
【００２７】
前記中心ロッドユニット１１０は二重構造を持つ。すなわち、空洞である中心シリンダー１１２が設けられ、摺動ロッド１１４が前記中心シリンダー１１２の両側に挿入される。前記摺動ロッド１１４は、内部穴に沿って移動することも可能であり、前記中心シリンダー１１２に対して縦方向に相互に移動することも可能である。
【００２８】
また、引張ばね１１６が前記摺動ロッド１１４間に設けられる。前記引張ばね１１６は前記摺動ロッド１１４の内端と一体となり、前記摺動ロッド１１４を内側に引きこむ。前記引張ばね１１６は本実施形態で用いられているが、本発明の他の実施形態によれば、摺動ロッドを押すための反発力を得るために、圧縮ばねを挟入することも可能であり、または前記摺動ロッドを内側に押し入れるための反発力を得るために、中心シリンダーの両端と摺動ロッドの内端との間にばねを取り付けてもよい。
【００２９】
図１〜図３を参照すると、回転継手１３２は前記中心ロッドユニット１１０の両端に取り付けられる。前記回転継手１３２は前記中心ロッドユニット１１０を前記フットプレート１２０に連結するためのものであり、前記フットプレート１２０は、前記回転継手１３２によって、前記中心ロッドユニット１１０に対して回転及びツイストすることができる。前記回転継手１３２は、前記摺動ロッド１１４の端部に取り付けられ、前記中心ロッドユニット１１２の縦軸Ｘ上で回転することも可能である。この場合、トーションスプリングは、前記中心ロッドシリンダー１１２と前記回転継手１３２との間に取り付けられてもよく、前記トーションスプリングを用いることによって、復元力を連続的に供給することも可能であるので、前記回転継手１３２が元の位置に戻ることも可能になっている。
【００３０】
前記回転継手１３２を垂直に貫通する穴が形成され、かつエレベーション継手１３４を垂直に貫通する、前記フットプレート１２０に取り付けられた穴も形成される。前記回転継手１３２は、垂直貫通ピンによって前記エレベーション継手１３４と一体となることも可能であり、前記ピンを中心に回転することも可能である。同様に、左右から前記エレベーション継手１３４を貫通するピン穴が形成され、前記エレベーション継手１３４は、垂直に回転するように前記フットプレート１２０に取り付けられる。
【００３１】
前記中心シリンダー１１２と前記回転継手１３２と同様、トーションスプリングは、前記回転継手１３２と前記エレベーション継手１３４との間に取り付けられてもよく、トーションスプリングは、前記エレベーション継手１３４と前記フットプレート１２０との間に取り付けられてもよい。前記継手のそれぞれは、前記トーションスプリングによって元の位置を保つための復元力を持つことも可能である。したがって、ユーザーは自由に両足を動かしながら、安定した姿勢を保つことも可能である。
【００３２】
状況に応じて異なるが、前記回転継手１３２は、前記中心ロッドユニット１１０の縦軸Ｘ上で、約２５度未満の境界角領域において双方向性にツイストすることも可能である。この場合、設計者の意向に応じて、その境界角領域を２５度以下の角度にコントロールすることも可能である。前記フットプレート１２０は、前記回転継手１３２を中心に横軸Ｚ上で約２０度未満の境界角領域において双方向性に垂直回転することも可能であり、垂直軸上Ｙで約９０度未満の境界角領域において左右両方向に回転することも可能である。
【００３３】
本実施形態では、前記中心ロッドユニット１１０が状況に応じて弾性的に拡縮する構造になっているが、前記中心ロッドユニット１１０を、ピンまたは他の取付具によって、前記摺動ロッド１１４に締着することも可能である。これは、設計者またはユーザーの選択によって適用または使用可能であり、ユーザーは、前記中心ロッドユニット１１０の長さをユーザーの身体に合うように固定することも可能である。
【００３４】
図２を参照すると、前記キャスター１５０にはホイール１５６が含まれ、前記ホイール１５６には前記キャスター１５０の回転軸Ｗに対して一定方向に偏向されたホイール連結部分１５４が含まれる。前記キャスター１５０には、ベアリングを含むフットプレート取付具１５２と、前記フットプレート取付具１５２下に形成された前記ホイール連結部分１５４と、前記ホイール１５６と、が含まれる。前記ホイール１５６が一定方向に偏向されているので、前記ホイール１５６は前記キャスター１５０の進行方向とは逆方向に配置される。前記ホイール１５６の位置は、前記キャスター１５０の進行方向に従って決定されるので、前記キャスター１５０と前記スケートボード１００の運動が妨げられることがない。また、１つのフットプレート１２０に連結された２個のキャスター１５０のそれぞれが独立して回転するので、前記２個のキャスター１５０の運動は互いに干渉し合うことがない。
【００３５】
図４は、図１のキャスター１５０を説明する部分拡大図である。図４を参照すると、ホイールブレーキ１５８は前記キャスター１５０に取り付けられている。前記ホイールブレーキ１５８は、前記キャスター１５０と前記弾性支持体１４０との間に取り付けられ、垂直に回転できる構造になっている。よって、ユーザーが前記フットプレート１２０の後部分を押して、前記フットプレート１２０と前記弾性支持体１４０を後方へ傾斜させると、前記ホイールブレーキ１５８の底部が地面に触れて抵抗力を発生させることも可能である。ユーザーは、前記スケートボード１００の前後に取り付けられた前記フットプレートのホイールブレーキ１５８の一部またはその全体を用いて、前記スケートボード１００を停止させるか、またはその速度をコントロールすることも可能である。
【００３６】
図５は、図４のキャスターに類似する別のキャスターを説明する部分拡大図であり、図５を参照すると、ホイールブレーキ１５９は、垂直に移動できる構造にもなっている。しかしながら、前記ホイールブレーキ１５９の摩擦表面は、地面の代わりに前記ホイール１５６の外周面と接している。ユーザーは、前記フットプレート１２０を傾斜させることによって、前記ホイールブレーキ１５９を前記ホイール１５６に緊密に接触させることも可能である。図４と図５に示した前記ホイールブレーキ１５８と１５９は、前記スケートボード１００にそれぞれ適用することも可能であり、互いに併用することも可能である。
【００３７】
図２と図３を参照すると、前記サスペンション１４２は、圧縮ばねまたは前記圧縮ばねと同一の方式で使用することができる弾性材料で形成してもよく、ユーザーの左右傾斜を支持するため、前記弾性支持体１４０と前記フットプレート１２０間のいずれの側に配置することも可能である。前記サスペンション１４２は、垂直に圧縮可能であり、左右または前後に湾曲可能でもある。ユーザーは、前記サスペンション１４２によって、左右及び前後方向への傾斜を自然にコントロールすることも可能である。例えば、ユーザーは、前記フットプレート１２０をその進行方向とは逆方向に傾斜させることによって、前記ホイールブレーキ１５８を操作することも可能である。前記ホイールブレーキ１５８は、前記ホイール１５６の上部に締着され、一定の角度で旋回するように連結される。
【実施形態２】
【００３８】
図６は、本発明の第２実施形態に係るスケートボードを説明する斜視図であり、図７は、図６のスケートボードの別の状態を説明する斜視図である。
【００３９】
図６と図７を参照すると、スケートボード２００には、中心ロッドユニット２１０と、前記中心ロッドユニット２１０の両端に取り付けられたフットプレート２２０と、キャスター２５０と、が含まれる。２つのフットプレート２２０は、左右に回転するように前記中心ロッドユニット２１０の両端に取り付けられ、前記キャスター２５０は前記フットプレート２２０下に設けられる。各キャスター２５０は、一定方向に偏向された方向キャスターであり、前記フットプレート２２０下で独立して回転することも可能である。その回転領域は、３６０度または３６０度未満の限られた領域でさまざまにコントロールすることも可能である。第１実施形態と同様に、前記中心ロッドユニット２１０は二重構造を持つ。
【００４０】
すなわち、空洞である中心シリンダー２１２が設けられ、摺動ロッドが前記中心シリンダー２１２の両側に挿入される（図９の２１４を参照）。前記摺動ロッドは、それぞれ前記中心シリンダー２１２の内部空洞に沿って移動することも可能であり、前記中心シリンダー２１２の長さ方向に相互移動することも可能である。また、引張ばねは前記摺動ロッド間に設けられる。前記引張ばねは、前記摺動ロッドの内端部と一体となり、前記摺動ロッドを内側に引きこむ。
【００４１】
図解のとおり、中心フットプレート２１８は前記中心ロッドユニット２１０の上に取り付けられる。前記中心フットプレート２１８は、足を一時的に置くために使用することも可能であり、前記中心ロッドユニット２１０を保護することも可能である。回転継手２３２は、前記中心ロッドユニット２１０の両端にそれぞれ取り付けられる。前記回転継手２３２は、前記中心ロッドユニット２１０を前記フットプレート２２０と連結するためのものである。前記フットプレート２２０は、前記中心ロッドユニット２１０に対して回転及びツイストすることができる。前記回転継手２３２は、前記摺動ロッドの端部に取り付けられ、前記中心ロッドユニット２１０の縦軸Ｘ上でツイストすることも可能である。この場合、トーションスプリングを追加として前記中心シリンダー２１２と前記回転継手２３２との間に取り付けることも可能であり、復元力を連続的に供給することも可能であるので、前記トーションスプリングを用いることによって前記回転継手２３２が元の位置に戻ることができるようになっている。
【００４２】
また、前記回転継手２３２を垂直に貫通する穴が形成され、かつ前記フットプレート２２０に取り付けられた連結継手２３４を垂直に貫通する穴も形成される。
【００４３】
前記回転継手２３２と前記連結継手２３４とは、前記回転継手２３２と前記連結継手２３４を垂直に貫通するピンによって互いに結合され、その上で回転するようにすることも可能である。
【００４４】
前記中心シリンダー２１２と前記回転継手２３２と同様、トーションスプリングを前記回転継手２３２と前記連結継手２３４との間に取り付けることも可能である。前記継手のそれぞれは、前記トーションスプリングによって元の位置に戻るための復元力を持つことも可能である。よって、ユーザーは弾力的に両足を動かしながら、安定した姿勢を保つことも可能である。
【００４５】
図６を参照すると、前記フットプレート２２０は、前記中心ロッドユニット２１０に対して垂直に、その左右側面に配置されている。また、４個のキャスター２５０は、前記中心ロッドユニット２１０の縦軸Ｘに対して平行に配置される。これは、ユーザーがその足を互いに平行になるように置いてその身体の左右方向に移動するときに相当するものである。
【００４６】
図７を参照すると、前記フットプレート２２０は、前記中心ロッドユニット２１０の縦方向に、かつその両側で平行になるように配置されているが、この場合、前記４個のキャスター２５０は前記中心ロッドユニット２１０の縦軸Ｘに対して平行に配置される。これは、ユーザーがその足を進行方向に対して平行に置いて前方に移動するときに相当するものである。
【００４７】
この場合、例えば、ユーザーは、前方に配置された左足に対して垂直になるように右足をその進行方向に対して横向きに垂直配置することによって両フットプレートをＴ字型に配置することも可能であり、さらに、両足の踵を内側に引くことによって前記フットプレートをＶ字型に配置するとことも可能である。いずれの場合でも、前記キャスター２５０はその進行方向に対して平行に方向付けられることが可能であり、ユーザーは快適な姿勢を保つことも可能である。
【００４８】
また、図示していないが、ユーザーが、両足または片足をフットプレートに固定するためのビンディング装置を取り付けることも可能である。前記ビンディング装置は、前記足を前記フットプレートに強固に結合することが可能であり、スノーボードに使用される強力なビンディング装置、または足を容易に固定・解除できる簡単なビンディング装置など、各種ビンディング装置を使用することも可能である。図８は、図６のスケートボードのさらに別の状態を説明する斜視図であり、
【００４９】
図９は、図６のスケートボードを説明する側面図である。
【００５０】
図８を参照すると、ユーザーは、前記フットプレート２２０上に両足を置くことも可能であり、前方に移動することも可能である。ユーザーは、左足を軸として用いることによって右足を前方に移動することも可能であり、かつ前記フットプレート２２０を右足とともに前方移動させることも可能である。この場合、前記キャスター２５０は、その進行方向に対して平行に配置され、ユーザーは歩行時と同様に各足を交互に前方移動することも可能である。
【００５１】
図９を参照すると、本実施形態では、前記中心ロッドユニット２１０は前記二重構造を持ち、摺動ロッド２１４が前記中心シリンダー２１２内で滑動すると同時に、前記中心ロッドユニット２１０の長さを伸縮させることも可能である。具体的には、図８に示すように、前記右フットプレート２２０は前方に移動し、前記中心ロッドユニット２１０は元の長さよりも長く伸張され、それによって容易に前方移動できる。
【００５２】
また、引張ばね２１６を前記摺動ロッド２１４の間に取り付けることも可能であるので、前記中心ロッドユニット２１０が元の長さに戻ることも可能になっている。前記引張ばね２１６は、前記摺動ロッド２１４が延長された後に、前記摺動ロッド２１４の内端部と一体となって前記摺動ロッド２１４を内側に引きこみ、それによってユーザーが前記摺動ロッド２１４を直接に引っ張ることなし前記中心ロッドユニット２１０を再び短くすることができる。通常、開脚動作や脚のスイング動作は容易であり、閉脚動作は困難かつ不自然であるので、前記引張ばね２１６を用いることによって、脚のスイング動作を自然に行うことも可能である。図９を参照すると、前記キャスター２５０には前記ホイール２５６が含まれ、前記ホイール２５６には前記キャスター２５０の回転軸Ｗに対して一定方向に偏向された前記ホイール連結部分２５４が含まれる。前記キャスター２５０には、ベアリングを含むフットプレート取付具２５２と、前記フットプレート取付具２５２下に形成された前記ホイール連結部分２５４と、前記ホイール２５６と、が含まれる。前記ホイール２５６が一定方向に偏向されているので、前記ホイール２５６は前記キャスター２５０の進行方向とは逆方向に配置される。前記ホイール２５６の位置は、前記キャスター２５０の進行方向に応じて決定されるので、前記キャスター２５０と前記スケートボード２００の運動は互いに干渉し合うことがない。また、単一フットプレート２２０に連結された前記２個のキャスター１５０のそれぞれが独立して回転するので、前記２個のキャスター２５０の運動は互いに干渉し合うことがない。
【００５３】
図１０は、定位置で回転する図６のスケートボードを説明する上面図である。
【００５４】
図１０を参照すると、前記中心ロッドユニット２１０と前記フットプレート２２０とはＨ字型に配置され、４個のキャスター２５０は定位置で回転するような方向に向かって配置される。よって、前記キャスター２５０は、前記ホイール２５６の回転軸が集まる点を中心に回転することも可能である。また、従来型スケートボードまたはその類似製品では不可能だった定位置における３６０度回転を行うことも可能である。よって、本実施形態に係るスケートボード２００は、比較的に急な旋回を行うことも可能であり、ローラースケートと同様に回転を利用して停止することも可能である。これは、前記キャスター２５０のそれぞれが独立して回転できるために実現可能であり、その２個のホイールが互いに平行になるように固定されている従来型スケートボードまたはその２個のホイールが一線上に配置されたネークボードでは、実現不可能なことである。
【００５５】
図９を参照すると、前記ホイールブレーキ２５８は前記キャスター２５０に取り付けられている。前記ホイールブレーキ２５８は、その間に前記ホイール２５６の回転軸を挟入することによって前記ホイール連結部分２５４に取り付けられ、かつ垂直に回転できる構造になっている。よって、ユーザーが前記フットプレート２２０の後部分を押して前記フットプレート２２０を傾斜させると、前記ホイールブレーキ２５８の底部は地面に触れて、抵抗力を発生させることも可能である。ユーザーは、前後に取り付けられた前記フットプレートのホイールブレーキ２５８の一部またはその全体を用いて、前記スケートボード２００を停止させるか、または前記スケートボード２００の速度をコントロールすることも可能である。
【実施形態３】
【００５６】
図１１は、本発明の第３実施形態に係るスケートボードを説明する拡大側面図であり、図１２は、前進状態における図１１のスケートボードを説明する拡大側面図である。
【００５７】
図１１と図１２を参照すると、スケートボード３００には、中心ロッドユニット３１０と、前記中心ロッドユニット３１０の両端に取り付けられたフットプレート３２０と、複数のキャスター３５０と、が含まれる。２つのフットプレート３２０は、左右に回転するように前記中心ロッドユニット３１０の両端に取り付けられ、前記複数のキャスター３５０は前記フットプレート３２０下に設けられる。各キャスター３５０は、一定方向に偏向された方向キャスターであり、前記フットプレート３２０下で独立して回転することも可能である。その回転領域は、３６０度または３６０度未満の限られた領域でさまざまにコントロールすることも可能である。
【００５８】
回転継手３３２は、前記中心ロッドユニット３１０の両端にそれぞれ取り付けられる。前記回転継手３３２は、前記中心ロッドユニット３１０を前記フットプレート３２０と連結するためのものである。前記フットプレート３２０は、前記中心ロッドユニット３１０に対して回転及びツイストする自由度を持つ。前記回転継手３３２は、前記摺動ロッド３１４の端部に取り付けられ、前記中心ロッドユニット３１０の縦軸上でツイストすることも可能である。この場合、トーションスプリングを追加として前記中心シリンダー３１２と前記回転継手３３２との間に取り付けることも可能であり、復元力を連続的に供給することも可能であるので、前記トーションスプリングを用いることによって前記回転継手３３２が元の位置に戻ることができるようになっている。また、前記回転継手３３２を垂直に貫通する穴が形成され、かつ前記フットプレート３２０に取り付けられた連結継手３３４を垂直に貫通する穴も形成される。前記回転継手３３２と前記連結継手３３４とは、前記回転継手３３２と前記連結継手３３４を垂直に貫通するピンによって互いに結合されることも可能であり、前記ピン上で回転することも可能である。前記キャスター３５０は、前記フットプレート３２０下に取り付けられ、かつフットプレート取付具３５２と、弾性連結部分３５３と、ホイール連結部分３５４と、ホイール３５６と、ホイールブレーキ３５８と、を含むものである。前記ホイール３５６は、前記ホイール連結部分３５４に取り付けられ、前記キャスター３５０の回転軸Ｗに対して一定方向に偏向される。前記フットプレート取付具３５２には、ベアリングが含まれ、前記フットプレート３２０に対して３６０度または３６０度未満の限られた領域で回転することも可能である。ばねを含む前記弾性連結部分３５３は、前記フットプレート取付具３５２下に設けられる。前記ホイール３５６の位置は、前記キャスター３５０の進行方向に従って決定されるので、前記キャスター３５０と前記スケートボード３００の運動は互いに干渉し合うことがない。また、１つのフットプレート３２０に連結された２個のキャスター３５０のそれぞれが独立して回転するので、前記２個のキャスター３５０の運動は互いに干渉し合うことがない。
【００５９】
前記キャスター３５０は、他のキャスターとは無関係に自由に回転して、進行方向に十分な駆動力を提供するが、実際には、前方への前進運動を妨げることもあり得る。よって、前記キャスター３５０は前記弾性連結部分３５３を介して前記キャスター３５０の進行方向とは逆方向に屈曲することも可能であり、前記複数個のキャスター３５０を前記キャスター３５０の回転をわずかに制限することによって、その進行方向に対して平行になるように実質的に配置することも可能である。よって、ユーザーは、各足を交互に交替させることによって、所望の駆動力を得ることも可能であり、さらに、ユーザーの身体の前後方向ならびに左右方向に移動することも可能である。よって、ユーザーは、歩行時のように運動することによって前方に移動することも可能である。この場合、前記ホイール連結部分３５４にはベアリングも含まれ、前記弾性連結部分３５３に対して３６０度または３６０度未満の限られた領域で回転することも可能であるが、前記弾性連結部分３５３が湾曲する際に回転が制限されるので、前記ホイール連結部分３５４のみが一定の領域で左右に回転する。
【００６０】
図１３は、図１１のスケートボードの別の前進状態を説明する拡大側面図である。図１３を参照すると、図８に示すように、ユーザーは前方に移動することも可能であり、前記キャスター３５０は、ユーザーが前方に移動する間にその進行方向とは逆方向に湾曲することも可能である。よって、ユーザーは、左右への移動の代わりに前方への移動時に十分な駆動力を得ることも可能である。
【００６１】
よって、ユーザーは、それぞれのフットプレート３２０上に両足を置きながら前方に移動することも可能である。ユーザーは、左足を軸として用いることによって右足を進めることも可能であり、前記フットプレート３２０を右足とともに前方移動させることも可能である。この場合、前記キャスター３５０は、その進行方向に対して平行に配置され、ユーザーは歩行時のように各足を交互前進させることも可能である。
【００６２】
ホイールブレーキを前記キャスター３５０に取り付けることも可能である。特に、前記ホイールブレーキは、その間に前記ホイール３５６の回転軸を挟入することによって前記ホイール連結部分３５４に取り付けることも可能であり、かつ垂直に回転できる構造になっている。よって、ユーザーが前記フットプレート３２０の後部分を押して前記フットプレート３２０を傾斜させると、前記ホイールブレーキ３５８の底部が地面に触れて抵抗力を発生させることも可能である。ユーザーは、前後に取り付けられた前記フットプレート３２０のホイールブレーキの一部またはその全体を用いて、前記スケートボード３００を停止させるか、または前記スケートボード３００の速度をコントロールすることも可能である。
【００６３】
さらに、前記スケートボード３００の運動方向は、ユーザーが重心を置く位置または力方向に応じて異なり得る。すなわち、方向キャスターの方向は、重心または力方向に応じて変更することが可能であり、中心ロッドユニットに対して最大で９０度水平に回転することも可能であり、フットプレートの運動で前記スケートボード３００の速度に弾性を付与することも可能である。
【００６４】
また、ユーザーが両フットプレートの中心の周りでその身体を旋回させると、前記方向キャスターのそれぞれは遠心力のために外向きに移動する傾向があり、それによって定位置で３６０度回転ができる。ユーザーは、その両足と身体を右または左に位置させることによって下り坂を走行することも可能であり、その身体に対して踵を内側に引き、身体を後方へ傾斜させながら円を描いて回転することも可能である。また、ユーザーが直立しながら片足を９０度ツイストすることによってＴ字型を作ると、道路と歩道間の障害物またはカーブを超えることが容易である。
【００６５】
図１４は、本発明の第３実施形態に類似する別の実施形態に係るスケートボードを説明する拡大側面図であり、
【００６６】
図１４を参照すると、前記スケートボードには、前記中心ロッドユニット３１０と、前記中心ロッドユニット３１０の両端に取り付けられたフットプレート３２０と、前記複数のキャスター３５１と、が含まれる。２つのフットプレート３２０は、左右に回転するように前記中心ロッドユニット３１０の両端に取り付けられ、前記キャスター３５１は前記フットプレート３２０下に設けられる。前記キャスター３５１は、一定方向に偏向された方向キャスターであり、前記フットプレート３２０下で独立して回転することも可能である。その回転領域は、３６０度または３６０度未満の限られた領域でさまざまにコントロールすることも可能である。前記回転継手３３２、前記中心シリンダー３１２、及び前記摺動ロッド３１４は、前記の実施形態の説明と図面を参照して説明され得る。
【００６７】
前記キャスター３５１は、前記フットプレート３２０下に取り付けられ、かつ前記フットプレート取付具３５２と、前記弾性連結部分３５３と、前記ホイール連結部分３５４と、前記ホイール３５６と、前記ホイールブレーキ３５８と、を含むものである。ただ、前記の実施形態とは異なり、前記ホイール連結部分３３５と前記弾性連結部分３５３間にはベアリングはない。よって、前記ベアリングを含む前記フットプレート取付具３５２は、３６０度または３６０度未満の限られた領域で回転することも可能であるが、前記ホイール連結部分３５５は、前記弾性連結部分３５３と比べて比較的に限定された回転能力を持つ。別の実施形態にもよるが、弾性連結部分は、それ自体ツイストまたは変形されることも可能であり、それによって限られた領域における回転能力が付与される。
【００６８】
前記ホイール３５６の位置は、前記キャスター３５１の進行方向に従って決定されるので、前記キャスター３５１と前記スケートボード３００の運動は互いに干渉し合うことがない。また、１つのフットプレート３２０に連結された前記２個のキャスター３５１のそれぞれが独立して回転するので、前記２個のキャスター３５１の運動は互いに干渉し合うことがない。前記ホイール連結部分３５５の限られた回転能力が前記スケートボード３００の自由な回転を限定することも可能であるが、その進行方向に対する十分な駆動力を提供することも可能である。前記弾性連結部分３５３を介して、前記キャスター３５１を前記キャスター３５１の運動方向とは逆方向に湾曲することも可能である。前記キャスター３５１によって得られた駆動力は、前記キャスター３５１の回転をわずかに制限することによって向上させることも可能である。図１５は、本発明の第３実施形態に類似するさらに別の実施形態に係るスケートボードを説明する拡大側面図である。
【００６９】
図１５を参照すると、前記スケートボードには、前記中心ロッドユニット３１０と、前記中心ロッドユニット３１０の両端に取り付けられたフットプレート３２０と、複数のキャスター３５１’と、が含まれる。２つのフットプレート３２０は、左右に回転するように前記中心ロッドユニット３１０の両端に取り付けられ、前記キャスター３５０’は前記フットプレート３２０下に設けられる。前記キャスター３５０’は、一定方向に偏向された方向キャスターであり、前記フットプレート３２０下で独立して回転することも可能である。その回転領域は、３６０度または３６０度未満の限られた領域でさまざまにコントロールすることも可能である。前記回転継手３３２、前記中心シリンダー３１２、及び前記摺動ロッド３１４は、前記の実施形態の説明と図面を参照して説明され得る。
【００７０】
前記キャスター３５０’は、前記フットプレート３２０下に取り付けられ、かつ前記フットプレート取付具３５２と、傾斜連結部分３５３’と、ホイール連結部分３５４と、前記ホイール３５６と、前記ホイールブレーキ３５８と、を含むものである。しかしながら、前記の実施形態とは異なり、前記傾斜連結部分３５３’は、互いに平行ではないが互いに対して傾斜する上面と底面を持つ。よって、ばねが使用されないと、前記ホイール連結部分３５４と前記ホイール３５６とは前記フットプレート３２０に対して湾曲される。しかしながら、前記傾斜連結部分３５３’は、前記フットプレート取付具３５２と前記ホイール連結部分３５４とにそれぞれ連結されることによって回転することも可能である。本実施形態では、前記ホイール３５６の位置が前記キャスター３５０'の進行方向によって受動的に決定されるので、前記キャスター３５０'の運動と前記スケートボード３００とは、互いに干渉し合うことがない。また、１つのフットプレート３２０に連結された前記２個のキャスター３５０’のそれぞれが独立して回転するので、前記２個のキャスター３５０’の運動は互いに干渉し合うことがない。本発明の実施形態を幾つか示し、かつ説明したが、本発明は前記説明の実施形態に限定されるものではない。むしろ、本発明の原理と真の趣旨から逸脱することなく、これらの実施形態に変更を加え得ること、さらに、本発明の範囲が請求項及び同等物によって規定されることは、当業者であれば理解されよう。
【図面の簡単な説明】
【００７１】
【図１】発明の第１実施形態に係るスケートボードを説明する底面斜視図。
【図２】図１のスケートボードを説明する側面図。
【図３】図１のスケートボードを説明する正面図。
【図４】図１のキャスター１５０を説明する部分拡大図。
【図５】図４のキャスターに類似する別のキャスターを説明する部分拡大図。
【図６】本発明の第２実施形態に係るスケートボードを説明する斜視図。
【図７】図６のスケートボードの別の状態を説明する斜視図。
【図８】図６のスケートボードのさらに別の状態を説明する斜視図。
【図９】図６のスケートボードを説明する側面図。
【図１０】定位置で回転する図６のスケートボードを説明する上面図。
【図１１】本発明の第３実施形態に係るスケートボードを説明する拡大側面図。
【図１２】前進状態における図１１のスケートボードを説明する拡大側面図。
【図１３】図１１のスケートボードの別の前進状態を説明する拡大側面図。
【図１４】本発明の第３実施形態に類似する別の実施形態に係るスケートボードを説明する拡大側面図。
【図１５】本発明の第３実施形態に類似するさらに別の実施形態に係るスケートボードを説明する拡大側面図。
【図１】
2008539937.tif 000003
【図２】
2008539937.tif 000004
【図３】
2008539937.tif 000005
【図４】
2008539937.tif 000006
【図５】
2008539937.tif 000007
【図６】
2008539937.tif 000008
【図７】
2008539937.tif 000009
【図８】
2008539937.tif 000010
【図９】
2008539937.tif 000011
【図１０】
2008539937.tif 000012
【図１１】
2008539937.tif 000013
【図１２】
2008539937.tif 000014
【図１３】
2008539937.tif 000015
【図１４】
2008539937.tif 000016
【図１５】
2008539937.tif 000017
【国際調査報告】
2008539937.tif 000018
2008539937.tif 000019